(57)【特許請求の範囲】
【請求項１】
開閉により係合状態と離間状態との間で移動可能な操作盤を有した遊技用装置に隣接して設置可能な遊技機であって、
前記操作盤が係合状態になく非係合状態となっていることを検知する検知手段と、
該検知手段により前記非係合状態が検知されたことを条件として、前記非係合状態に関わる報知を行う報知手段と、
を具備し、前記報知手段は、第１報知態様の報知と第２報知態様の報知とを遊技機の状態に応じて選択的に行い得るとともに、前記遊技機の状態が演出中のとき、前記第１報知態様の報知は、前記操作盤の非係合状態に関わる報知よりも遊技機による演出を優先するものとされ、且つ、前記第２報知態様の報知は、当該遊技機による演出よりも前記操作盤の非係合状態に関わる報知を優先するものとされていることを特徴とする遊技機。
【請求項２】
前記報知手段は、図柄表示手段、スピーカ、装飾ランプ又は可動役物から成る遊技機の遊技に関わる構成要素又は当該構成要素とは相違する別個の報知専用の構成要素から成ることを特徴とする請求項１記載の遊技機。
【請求項３】
前記報知手段は、互いに異なる報知を行い得る複数の構成要素から成ることを特徴とする請求項２記載の遊技機。
【請求項４】
前記報知手段による報知が行われているとき、前記操作盤による操作又は遊技が可能とされたことを特徴とする請求項１〜３の何れか１つに記載の遊技機。
【請求項５】
前記報知手段による報知が行われているとき、前記操作盤による操作又は遊技が禁止されることを特徴とする請求項１〜３の何れか１つに記載の遊技機。
【発明の詳細な説明】
【技術分野】
【０００１】
本発明は、開閉により係合状態と離間状態との間で移動可能な操作盤を有した遊技用装置に隣接して設置可能な遊技機に関するものである。
【背景技術】
【０００２】
パチンコ遊技機やパチスロと称されるスロットマシン等の遊技機は、通常、遊技者が所有する所有遊技価値情報に基づき遊技が可能とされており、従来より、当該所有遊技価値情報を表示可能な表示装置を具備した遊技用装置に隣接して設置されたものが提案されている（例えば特許文献１参照）。かかる表示装置は、遊技機に対して開閉可能とされており、開閉により係合状態（遊技機に係合した状態）と離間状態（遊技機から離間した状態）との間で移動可能とされていた。
【先行技術文献】
【特許文献】
【０００３】
【特許文献１】特開２０１２−１７０７３２号公報
【発明の概要】
【発明が解決しようとする課題】
【０００４】
しかしながら、上記従来技術においては、表示装置（本発明においては「操作盤」と称する）が遊技機に対して係合状態になく非係合状態となっていた場合であっても、遊技者や作業者等に非係合状態を確実に認識させることができず、遊技者から見にくい位置にて操作盤が保持されつつ遊技が行われる可能性があった。その場合、遊技者は不自然な姿勢で操作盤を視認することになってしまうことから操作盤に対する視認を良好に行わせることができず、更には操作盤に対して僅かな力が作用しても開閉方向に動いてしまうという不具合があった。
【０００５】
本発明は、このような事情に鑑みてなされたもので、遊技者や作業者等に非係合状態を確実に認識させることができるとともに、操作盤に対する視認性を向上させつつ当該操作盤を確実に安定して保持させることができる遊技機を提供することにある。
【課題を解決するための手段】
【０００６】
請求項１記載の発明は、開閉により係合状態と離間状態との間で移動可能な操作盤を有した遊技用装置に隣接して設置可能な遊技機であって、前記操作盤が係合状態になく非係合状態となっていることを検知する検知手段と、該検知手段により前記非係合状態が検知されたことを条件として、前記非係合状態に関わる報知を行う報知手段とを具備し、前記報知手段は、第１報知態様の報知と第２報知態様の報知とを遊技機の状態に応じて選択的に行い得るとともに、前記遊技機の状態が演出中のとき、前記第１報知態様の報知は、前記操作盤の非係合状態に関わる報知よりも遊技機による演出を優先するものとされ、且つ、前記第２報知態様の報知は、当該遊技機による演出よりも前記操作盤の非係合状態に関わる報知を優先するものとされていることを特徴とする。
【０００７】
請求項２記載の発明は、請求項１記載の遊技機において、前記報知手段は、図柄表示手段、スピーカ、装飾ランプ又は可動役物から成る遊技機の遊技に関わる構成要素又は当該構成要素とは相違する別個の報知専用の構成要素から成ることを特徴とする。
【０００８】
請求項３記載の発明は、請求項２記載の遊技機において、前記報知手段は、互いに異なる報知を行い得る複数の構成要素から成ることを特徴とする。
【００１２】
請求項４記載の発明は、請求項１〜３の何れか１つに記載の遊技機において、前記報知手段による報知が行われているとき、前記操作盤による操作又は遊技が可能とされたことを特徴とする。
【００１３】
請求項５記載の発明は、請求項１〜３の何れか１つに記載の遊技機において、前記報知手段による報知が行われているとき、前記操作盤による操作又は遊技が禁止されることを特徴とする。
【発明の効果】
【００１４】
請求項１の発明によれば、操作盤が係合状態になく非係合状態となっていることを検知する検知手段と、該検知手段により非係合状態が検知されたことを条件として、非係合状態に関わる報知を行う報知手段とを具備したので、遊技者や作業者等に非係合状態を確実に認識させることができるとともに、操作盤に対する視認性を向上させつつ当該操作盤を確実に安定して保持させることができる。
また、報知手段は、第１報知態様の報知と第２報知態様の報知とを遊技機の状態に応じて選択的に行い得るので、遊技機の状態に応じたより適切な報知を行わせることができる。
さらに、遊技機の状態が演出中のとき、第１報知態様の報知は、操作盤の非係合状態に関わる報知よりも遊技機による演出を優先するものとされ、且つ、第２報知態様の報知は、当該遊技機による演出よりも操作盤の非係合状態に関わる報知を優先するものとされているので、遊技機の演出内容に応じたより適切な報知を行わせることができる。
【００１５】
請求項２の発明によれば、報知手段は、図柄表示手段、スピーカ、装飾ランプ又は可動役物から成る遊技機の遊技に関わる構成要素又は当該構成要素とは相違する別個の報知専用の構成要素から成るので、遊技機の遊技に関わる構成要素とした場合、別個の構成要素を不要とすることができるとともに、当該構成要素とは相違する別個の構成要素とした場合、報知内容に応じた適切な報知を行わせることができる。
【００１６】
請求項３の発明によれば、報知手段は、互いに異なる報知を行い得る複数の構成要素から成るので、報知内容に応じたより適切な報知を行わせることができる。
【００２０】
請求項４の発明によれば、報知手段による報知が行われているとき、操作盤による操作又は遊技が可能とされたので、非係合状態である旨の報知に比べて操作盤による操作又は遊技を優先して行わせることができる。
【００２１】
請求項５の発明によれば、報知手段による報知が行われているとき、操作盤による操作又は遊技が禁止されるので、操作盤による操作又は遊技に比べて非係合状態である旨の報知を優先して行わせることができる。
【図面の簡単な説明】
【００２２】
【図１】本発明の実施形態に係る遊技機及び遊技用装置を示す斜視図
【図２】同遊技機及び遊技用装置の内部構成を示すブロック図
【図３】同遊技用装置の操作盤が係合状態にあるときの斜視図
【図４】同遊技用装置の操作盤が離間状態（第１回動部Ａの回動状態）にあるときの斜視図
【図５】同遊技用装置の操作盤が離間状態（第２回動部Ｂの回動状態）にあるときの斜視図
【図６】同遊技用装置の操作盤が離間状態（第１回動部Ａの回動状態）にあるときの斜視図
【図７】同遊技用装置の操作盤における係止爪部を示す拡大図
【図８】同遊技用装置の操作盤における係止部がパチンコ遊技機に係止された状態を示す拡大図
【図９】同遊技用装置の操作盤における係止部のパチンコ遊技機への係止過程を示す拡大図
【図１０】他の実施形態に係る遊技用装置の検知手段を示す拡大図
【図１１】他の実施形態に係る遊技機及び遊技用装置を示す斜視図
【発明を実施するための形態】
【００２３】
以下、本発明の実施形態について図面を参照しながら具体的に説明する。
本実施形態に係る遊技機は、遊技球を遊技媒体として使用するパチンコ遊技機から成るもので、図１、２に示すように、ガラス板が取り付けられた前面枠３を有しており、かかるガラス板から遊技者が遊技盤４を目視し得るよう構成されている。この遊技盤４には、始動口や電動チューリップ、大入賞口等の他、図柄を変動表示可能な図柄表示手段１３（図２参照）が取り付けられている。
【００２４】
図柄表示手段１３は、遊技盤４の略中央に配設された液晶表示装置等から成り、その画面に所定の図柄や背景等を表示し得るとともに、始動口に遊技球が入賞すると、図柄を変動表示又は停止表示可能とされている。そして、所定の図柄が停止表示（例えば同一図柄が揃って停止表示）されることにより「大当たり状態」が発生し、大入賞口を所定時間及びタイミングで開口させ、多数の遊技球を獲得できるよう構成されている。なお、パチンコ遊技機１には、遊技球を遊技盤４に打ち出すためのハンドル５、遊技のための効果音等を出力可能なスピーカ１４、装飾ランプ１５、可動役物１６等が配設されている。
【００２５】
また、パチンコ遊技機１の裏面側には、図２に示すように、メイン制御基板８と、サブ制御基板９とが配設されている。このうち、サブ制御基板９は、メイン制御基板８から送信された制御信号に基づき各種制御を行わせるもので、図柄表示手段１３やスピーカ１４等と電気的に接続された演出制御基板１０と、装飾ランプ１５や可動役物１６等と電気的に接続されたランプ制御基板１１と、払出駆動モータ等と電気的に接続された払出制御基板１２とを有して構成されている。
【００２６】
メイン制御基板８は、パチンコ遊技機１全般に亘る遊技内容を制御するもので、ＣＰＵ、ＲＯＭ及びＲＡＭ等を有して構成されている。このメイン制御基板８には、始動口への遊技球の入賞を検知するための始動口ＳＷ、電動チューリップを駆動させるための電動チューリップのソレノイド、ゲートの遊技球の通過を検知するためのゲートＳＷ、大入賞口への遊技球の入賞を検知するための大入賞口ＳＷ及び当該大入賞口を駆動させるための大入賞口ソレノイド等が電気的に接続されている。
【００２７】
一方、遊技用装置２は、パチンコ遊技機１と隣接して配置されたもので、図２に示すように、通信手段２１、制御手段２２及び操作部７を有して構成されている。また、遊技用装置２は、カード投入口２ａ（図１参照）等を有しており、かかるカード投入口２ａに遊技者が特定のカードを投入すると、そのカードに記録された遊技情報（例えば遊技者の所有遊技価値情報や遊技履歴情報等）がパチンコ遊技機１に送信され得るようになっている。なお、所有遊技価値情報とは、遊技者がパチンコ遊技機１にて遊技可能な数量（例えば遊技盤４に遊技球を発射可能な遊技球の数）等を示す情報をいう。
【００２８】
さらに、本実施形態に係る遊技用装置２は、パチンコ遊技機１との間で通信手段２０、２１を介して通信可能とされており、カード投入口２ａに投入されたカードの情報をパチンコ遊技機１（メイン制御基板８）側に送信可能とされるとともに、パチンコ遊技機１（メイン制御基板８）の情報（残存の所有遊技価値情報や遊技履歴情報等）を遊技用装置２側に送信可能とされている。また、カード投入口２ａに投入されたカードの情報やパチンコ遊技機１との間で通信された情報は、遊技用装置２の操作部７にて表示可能とされている。
【００２９】
操作盤６は、その表面（パチンコ遊技機１に対して係止状態のとき遊技者と対向する面）に操作部７が形成されている。かかる操作部７は、所定の表示（上記の如き所有遊技価値情報や遊技履歴情報等）及び操作（画面の所定部位を触れることによる入力操作等）が可能なタッチパネルから成るもので、制御手段２２により制御（表示のための制御及び入力のための制御）されるよう構成されている。
【００３０】
また、本実施形態に係る操作盤６は、遊技用装置２と隣接して配置されたパチンコ遊技機１に対して開閉により係合状態（図３参照）と離間状態（図４、５参照）との間で移動可能とされている。より具体的には、本実施形態に係る操作盤６には、図６〜９に示すように、上下方向に移動可能な係止爪部２３が形成されており、例えば操作盤６を図４で示す離間状態から回動軸Ｌ１を中心として回動させてパチンコ遊技機１に近接させると、係止爪部２３がパチンコ遊技機１側に形成された被係止部２５に干渉して上下方向に移動し、当該被係止部２５に係止することで係合状態となるよう構成されている。
【００３１】
なお、係止爪部２３は、シリンダ錠２４（図８参照）と連結されており、シリンダ錠２４のキー孔にキー（不図示）を差し込んで操作することにより、上方へ移動して被係止部２５との間の係合が解かれるようになっている。また、操作盤６の裏面側には、一対の突出部６ａが形成されるとともに、それと対応する一対の凹部１ａがパチンコ遊技機１に形成されており、操作盤６がパチンコ遊技機１に対して係止状態とされる過程で突出部６ａが凹部１ａに挿通されるようになっている。これにより、操作盤６の開閉時、当該操作盤６を案内することができるとともに、係合状態のときの操作盤６の位置決めを行わせることができる。
【００３２】
さらに、本実施形態に係る操作盤６は、異なる２つの回動軸（Ｌ１、Ｌ２）を中心に回動可能な第１回動部Ａ及び第２回動部Ｂと、第１回動部Ａと回動軸Ｌ１との連結を解くための操作ボタンαとを有している。すなわち、第１回動部Ａは、操作部７が形成された部位から成り、係合状態（図３参照）から回動軸Ｌ１を中心として回動すると、図４に示す如き離間状態とされるとともに、操作ボタンαを操作しつつ第１回動部Ａ及び第２回動部Ｂが回動軸Ｌ２を中心として回動し、図５に示す如き離間状態とされる。しかして、操作盤６を図５に示す如き離間状態とすれば、パチンコ遊技機１の前面枠３を円滑に開放させることができる。
【００３３】
ここで、本実施形態に係るパチンコ遊技機１には、操作盤６が係合状態になく非係合状態となっていることを検知する検知手段１７と、遊技機状態検出手段１８と、報知態様選択手段１９と、検知手段１７により非係合状態が検知されたことを条件として、非係合状態に関わる報知を行う報知手段とを具備している。なお、本実施形態においては、検知手段１７がメイン制御基板８に接続されるとともに、遊技機状態検出手段１８及び報知態様選択手段１９がメイン制御基板８に形成されているが、例えば検知手段１７をサブ制御基板９等の他の基板に接続するとともに、遊技機状態検出手段１８及び報知態様選択手段１９をサブ制御基板９等の他の基板に形成するようにしてもよい。
【００３４】
検知手段１７は、係合爪部２３の被係止部２５に対する係止の有無を検知するセンサから成り、係合爪部２３が被係止部２５に係止されておらず操作盤６が非係合状態となっていると、当該非係合状態を検知してその旨の電気信号をメイン制御基板８に送信し得るよう構成されている。なお、検知手段１７は、係合爪部２３の係止状態を検知するものに限らず、例えば操作盤６が係合状態のとき当該操作盤６及びパチンコ遊技機１にて押圧されて検知可能なセンサとしてもよい。この場合の検出手段１７として、図１０に示すように、棒状のプランジャ部ａと、該プランジャ部ａの移動を検知する検知部ｂとを有し、プランジャ部ａが押圧されて移動したことを検知部ｂが検知することで、非係合状態を検知可能なセンサが好ましい。
【００３５】
本実施形態に係る報知手段は、図柄表示手段１３、スピーカ１４、装飾ランプ１５又は可動役物１６等、パチンコ遊技機１の遊技に関わる構成要素（構成部品）から成るもので、検知手段１７にて非係合状態が検知されると、その旨を報知（非係合状態に関わる報知）し得るよう構成されている。かかる報知手段による報知方法は、図柄表示手段１３による警告の表示、スピーカ１４による警告音の出力、装飾ランプの演出とは異なる特殊形態の点灯若しくは点滅、又は可動役物１６の演出とは異なる特殊形態の動作が挙げられる。なお、「非係合状態に関わる報知」は、遊技者や作業者に操作盤６が非係合状態であることの認識を行わせる報知であれば足り、例えば「非係合状態である」旨の表示又は音声の出力に加え、「扉を閉めてください」旨の案内のための表示又は音声等であってもよい。
【００３６】
また、報知手段は、パチンコ遊技機１の遊技に関わる構成要素とは相違する別個の構成要素（演出のための構成要素とは別個の報知専用の構成要素）から成るものとしてもよい。さらに、報知手段は、遊技機の遊技に関わる構成要素又は当該構成要素とは相違する別個の構成要素から成るものであれば、単一のものに限定されず、互いに異なる報知を行い得る複数の構成要素（例えば、図柄表示手段１３による表示とスピーカ１４による出力との組み合わせや種々組み合わせ）から成るものとしてもよい。
【００３７】
遊技機状態検出手段１８は、パチンコ遊技機１の状態を検出するためのもので、例えばパチンコ遊技機１が遊技中（演出中）であるのか、或いは遊技中（演出中）でない状態（例えば、客待ち状態中、電源投入時、電源復帰時、エラー報知中又は遊技用装置２との通信中等）であるのかを検出し得るものである。なお、パチンコ遊技機１が遊技中（演出中）において、如何なる演出が行われているか（例えば、大当たり状態の演出やリーチ状態の演出等）を検出するようにしてもよい。
【００３８】
報知態様選択手段１９は、遊技機状態検出手段１８により検出されたパチンコ遊技機１の状態に応じて報知手段による報知態様を任意に選択するもので、本実施形態においては、第１報知態様の報知と第２報知態様の報知とをパチンコ遊技機１の状態に応じて選択的に行い得るようになっている。また、本実施形態においては、パチンコ遊技機１の状態が演出中のとき、第１報知態様の報知は、操作盤６の非係合状態に関わる報知よりもパチンコ遊技機１による演出を優先するものとされ、且つ、第２報知態様の報知は、当該パチンコ遊技機１による演出よりも操作盤６の非係合状態に関わる報知を優先するものとされている。
【００３９】
さらに、本実施形態においては、報知手段による報知が行われているとき、操作盤６による操作又はパチンコ遊技機１の遊技が可能とされている。これにより、非係合状態である旨の報知に比べて操作盤６による操作又はパチンコ遊技機１の遊技を優先して行わせることができる。なお、報知手段による報知が行われているとき、操作盤６による操作又はパチンコ遊技機１の遊技が禁止されるよう構成してもよく、この場合、操作盤６による操作又はパチンコ遊技機１の遊技に比べて非係合状態である旨の報知を優先して行わせることができる。
【００４０】
上記実施形態によれば、操作盤６が係合状態になく非係合状態となっていることを検知する検知手段１７と、該検知手段１７により非係合状態が検知されたことを条件として、非係合状態に関わる報知を行う報知手段とを具備したので、遊技者や作業者等に非係合状態を確実に認識させることができるとともに、操作盤６に対する視認性を向上させつつ当該操作盤６を確実に安定して保持させることができる。
【００４１】
また、本実施形態に係る報知手段は、パチンコ遊技機１の遊技に関わる構成要素又は当該構成要素とは相違する別個の構成要素から成るので、パチンコ遊技機１の遊技に関わる構成要素とした場合、別個の構成要素を不要とすることができるとともに、当該構成要素とは相違する別個の構成要素とした場合、報知内容に応じた適切な報知を行わせることができる。
【００４２】
さらに、本実施形態に係る報知手段は、互いに異なる報知を行い得る複数の構成要素から成るので、報知内容に応じたより適切な報知を行わせることができる。なお、単一の構成要素（例えば図柄表示手段１３のみ等）にて報知を行うものとしてもよい。またさらに、本実施形態に係る報知手段は、第１報知態様の報知と第２報知態様の報知とをパチンコ遊技機１の状態に応じて選択的に行い得るので、パチンコ遊技機１の状態に応じたより適切な報知を行わせることができる。
【００４３】
特に、本実施形態によれば、パチンコ遊技機１の状態が演出中のとき、第１報知態様の報知は、操作盤６の非係合状態に関わる報知よりもパチンコ遊技機１による演出を優先するものとされ、且つ、第２報知態様の報知は、当該パチンコ遊技機１による演出よりも操作盤６の非係合状態に関わる報知を優先するものとされているので、パチンコ遊技機１の演出内容に応じたより適切な報知を行わせることができる。なお、パチンコ遊技機１の状態が、客待ち状態中、電源投入時、電源復帰時、エラー報知中又は遊技用装置との通信中であるとき、報知手段が、第１報知態様の報知と第２報知態様の報知とをパチンコ遊技機１の状態に応じて選択的に行い得るものとすれば、演出時以外の遊技機の状態により適切な報知を行わせることができる。
【００４４】
以上、本実施形態について説明したが、本発明はこれに限定されない。また、本実施形態に係る遊技機は、パチンコ遊技機１とされているが、例えば図１１に示すように、パチスロと称されるスロットマシン１’に適用してもよい。
【産業上の利用可能性】
【００４５】
操作盤が係合状態になく非係合状態となっていることを検知する検知手段と、該検知手段により非係合状態が検知されたことを条件として、非係合状態に関わる報知を行う報知手段とを具備し、報知手段は、第１報知態様の報知と第２報知態様の報知とを遊技機の状態に応じて選択的に行い得るとともに、遊技機の状態が演出中のとき、第１報知態様の報知は、操作盤の非係合状態に関わる報知よりも遊技機による演出を優先するものとされ、且つ、第２報知態様の報知は、当該遊技機による演出よりも操作盤の非係合状態に関わる報知を優先するものとされていることを特徴とする遊技機であれば、外観形状が異なるもの或いは他の機能が付加されたもの等にも適用することができる。
【符号の説明】
【００４６】
１    パチンコ遊技機
２    遊技用装置
３    前面枠
４    遊技盤
５    ハンドル
６    操作盤
７    操作部
８    メイン制御基板
９    サブ制御基板
１０  演出制御基板
１１  ランプ制御基板
１２  払出制御基板
１３  図柄表示手段
１４  スピーカ
１５  装飾ランプ
１６  可動役物
１７  検知手段
１８  遊技機状態検出手段
１９  報知態様選択手段
２０  通信手段
２１  通信手段
２２  制御手段
【図１】
0005866391.tif 000002
【図２】
0005866391.tif 000003
【図３】
0005866391.tif 000004
【図４】
0005866391.tif 000005
【図５】
0005866391.tif 000006
【図６】
0005866391.tif 000007
【図７】
0005866391.tif 000008
【図８】
0005866391.tif 000009
【図９】
0005866391.tif 000010
【図１０】
0005866391.tif 000011
【図１１】
0005866391.tif 000012